(57)【要約】【課題】簡単な機構で、短い時間内に日車を送ることができ、日修正時に、長いデッドポイントが存在することなく、確実に日修正ができる日修正機構を含むカレンダ付き時計を提供する。【解決手段】本発明のカレンダ付き時計は、３１個の三角形の歯を含む日車７２０と、日車を回転させる日回し車７０６と、日回し車に一体に設けられた日回しつめ７３０とを備える。日回しつめは、日回し車に一体に設けられた中心部分と、円弧状のばね部分と、ばね部分の先端に設けられた日車送り部分とを含む。日ジャンパ７４０の日車規正部７４２は第１規正部７４２ａと、第２規正部７４２ｂと、第３規正部７４２ｃとを含む。第１規正部７４２ａは日車の第１歯７２０ｆの歯先の円弧に接触し、第３規正部７４２ｃは、日車の第２歯７２０ｇの歯先の円弧に接触するように構成される。【選択図】      図１３
2004170271.tif 000002
【特許請求の範囲】
【請求項１】
ムーブメント（１００）の基板を構成する地板（１０２）と、時刻情報を表示するために前記地板（１０２）に回転中心（３００）をもって回転する分車（３２４）と、前記時刻情報を修正するための切換装置と、時刻情報を表示するための文字板（１０４）と、日を表示するための日車（７２０）とを有するカレンダ付き時計であって、
前記日車（７２０）の内歯部分（７２０ａ）は、３１個の三角形の歯を含んでおり、
前記地板（１０２）の前記文字板側に配置され、かつ、前記地板（１０２）に回転中心を有し、かつ、前記日車（７２０）を回転させる日回し車（７０６）と、
前記日回し車（７０６）に一体に設けられた日回しつめ（７３０）とを備え、
前記日回しつめ（７３０）は、前記日回し車（７０６）に一体に設けられた中心部分（７３１）と、中心部分（７３１）から延びる円弧状のばね部分（７３２）と、ばね部分（７３２）の先端に設けられており、かつ、前記日車（７２０）を回転させるための日車送り部分（７３３）とを含んでおり、
更に、前記地板（１０２）の前記文字板側に配置され、かつ、前記日車（７２０）を規正する規正部を有する日ジャンパ（７４０）を備え、
該日ジャンパ（７４０）は、ベース部分（７４１）と、日車規正部（７４２）と、日ジャンパばね部分（７４４）とを含んでおり、
前記日ジャンパ（７４０）の日車規正部（７４２）は前記日車（７２０）の内歯部分（７２０ａ）に係合して、前記日車（７２０）の回転を規正するように構成されており、
前記日ジャンパ（７４０）の日車規正部（７４２）は、第１規正部（７４２ａ）と、第２規正部（７４２ｂ）と、第３規正部（７４２ｃ）とを含み、前記第２規正部（７４２ｂ）は、前記第１規正部（７４２ａ）と、前記第３規正部（７４２ｃ）との間に設けられており、
前記日ジャンパ（７４０）が前記日車（７２０）を規正している状態において、前記第１規正部（７４２ａ）は前記日車（７２０）の第１歯（７２０ｆ）の歯先の円弧に接触し、前記第３規正部（７４２ｃ）は、前記第１歯（７２０ｆ）の隣の前記日車（７２０）の第２歯（７２０ｇ）の歯先の円弧に接触するように構成される、
ことを特徴とするカレンダ付き時計。
【請求項２】
前記地板（１０２）の前記文字板側に配置され、かつ、前記地板（１０２）に回転中心をもって揺動可能に設けられており、かつ、前記日車（７２０）を修正するためのカレンダ修正車（７１４）を更に備えることを特徴とする、請求項１に記載のカレンダ付き時計。
【請求項３】
前記日ジャンパ（７４０）の日車規正部（７４２）において、前記第１規正部（７４２ａ）と、前記第２規正部（７４２ｂ）とのなす角度（Ｋ１）は１１５度〜１６０度であり、前記第２規正部（７４２ｂ）と、前記第３規正部（７４２ｃ）とのなす角度（Ｋ２）は１２０度〜１７０度であることを特徴とする、請求項１又は２に記載のカレンダ付き時計。
【請求項４】
前記分車（３２４）の回転中心（３００）と、前記第１歯（７２０ｆ）の歯先の円弧の中心とを結ぶ直線を第１歯先基準線（７７０）と定義し、
前記分車（３２４）の回転中心（３００）と、前記第２歯（７２０ｇ）の歯先の円弧の中心とを結ぶ直線を第２歯先基準線（７７１）と定義し、
前記第１歯先基準線（７７０）と、前記第２歯先基準線（７７１）とのなす角度をＴ１とし、
前記第１規正部（７４２ａ）と前記第２規正部（７４２ｂ）の交点と、前記分車（３２４）の回転中心（３００）を結ぶ直線（７７２）と、前記第１歯先基準線（７７０）とのなす角度をＴ２とし、
前記第２規正部（７４２ｂ）と前記第３規正部（７４２ｃ）の交点と、前記分車（３２４）の回転中心（３００）を結ぶ直線（７７３）と、前記第１歯先基準線（７７０）とのなす角度をＴ３とするとき、
（Ｔ１−Ｔ３）は、（Ｔ３−Ｔ２）より小さくなるように構成され、
（Ｔ３−Ｔ２）は、Ｔ２より小さくなるように構成される、
ことを特徴とする、請求項１〜３のいずれか１項に記載のカレンダ付き時計。
【発明の詳細な説明】
【０００１】
【発明の属する技術分野】
本発明は、一般的には、カレンダ付き時計に関する。特に、本発明は、ムーブメントの小型化及び薄型化を可能にしたカレンダ付き時計に関する。
【０００２】
【従来の技術】
（１）特許文献１に開示されている従来のカレンダ機構
従来のカレンダ付き時計では、筒車が日回し中間車の日回し中間歯車と噛み合う。日回し中間車の日回し中間かなが日回し車と噛み合う。日車が地板に回転可能に組み込まれる。日回し車の日回しつめにより、日車を回転させる。日回し車は、日車を回すための日回しつめと、曜車を回すための曜回しつめを有している。日ジャンパの日車規正部は日車の内歯部分に係合して、日車の回転を規正する。日ジャンパの日ジャンパばね部分は、日車規正部を基準として、日車の回転する方向と逆の方向に向かって延びている（例えば、特許文献１参照）。
【０００３】
（２）特許文献２に開示されている従来のカレンダ機構
また、従来の他のカレンダ付き時計では、日回シ車に設けられたカムに係合しカレンダ送り爪を有するカレンダ送り部材が、カムの低部から高部へ係合点が移行するにしたがって蓄勢される。さらに、カムの最高部から最低部へ急激に係合点が移行するとき、蓄勢力を放出して回転することにより、カレンダ送り爪がカレンダ表示部材を１日分駆動する（例えば、特許文献２参照）。
【０００４】
（３）非特許文献１に開示されている従来のカレンダ機構
さらに、従来の他の時計のカレンダ機構では、２４時間車が日レバーを作動させる。戻しばねにより、日レバーのピンが日車の歯部に押し付けられる。日レバーばねが、日レバーを２４時間車のフィンガに押し付ける。真夜中になると、２４時間車のフィンガは日レバーの先端から離れ、戻しばねにより、日レバーは迅速に元の位置に戻される。このとき、日レバーのピンが日車を回転させるように構成されている（例えば、非特許文献１参照）。
【０００５】
（４）他の従来のカレンダ機構
（４・１）カレンダ装置の構造
図２４および図２５を参照すると、他の従来のカレンダ機構では、ムーブメントの裏側（文字板側）において、日車９２０が地板９０２に回転可能に組み込まれる。日回しつめ９３０が日回し車９０６に一体に設けられる。日回し車９０６が回転することにより、日回しつめ９３０が日車９２０を回転させる。日修正伝え車９１２が日修正車９１４と噛み合う。日修正車９１４は、揺動可能に地板９０２の円弧長穴９０２ｈに組み込まれる。日修正カム９１６が日修正車９１４に一体に設けられる。図２５を参照すると、巻真９１０を１段目にした状態で、日修正車９１４が一方の方向に揺動した第１位置にあるとき、日修正カム９１６は日車９２０の内歯部分９２０ａとかみあう。日修正車９１４が他方の方向に揺動した第２位置にあるとき、日修正カム９１６は日車９２０の内歯部分９２０ａとかみあわない。巻真９１０を１段目にした状態で、日修正伝え車９１２の回転を介して日修正車９１４と日修正カム９１６が回転して、日修正カム９１６により日車９２０の内歯部分９２０ａを回転させることができる。
【０００６】
図２４、図２５および図２９を参照すると、日ジャンパ９４０が、地板９０２に設けられる。日ジャンパ９４０は、ベース部分９４１と、日車規正部９４２と、日ジャンパばね部分９４４とを含む。ベース部分９４１は地板９０２に固定される。日ジャンパ９４０の日車規正部９４２は日車９２０の内歯部分９２０ａに係合して、日車９２０の回転を規正する。図２４では、日車９２０の回転方向は時計回り方向である。
【０００７】
（４・２）日送り機構の構造
図２４および図２９を参照すると、日回し車９０６は、地板９０２に回転可能に組み込まれる。日回しつめ９３０は、日回し車９０６に一体に設けられた中心部分９３１と、中心部分９３１から延びる円弧状のばね部分９３２と、日車９２０を回転させるための日車送り部分９３３とを含む。ばね部分９３２の内周部と、中心部分９３１の外周部との間には、隙間９３１ｂが設けられる。図２９に矢印で示すように、日車９２０は時計周り方向に回転する。同様に、図２９に矢印で示すように、日回し車９０６も時計周り方向に回転する。
【０００８】
図２９を参照すると、図２９は、日回し車９０６とともに日回しつめ９３０の日車送り部分９３３が回転してきて、まさに日車９２０の内歯部分９２０ａに接触した状態を示している。この状態を、図２８において、日車回転角が０度である状態、すなわち、「Ａ点の状態」と定義する。
日車９２０の内歯部分９２０ａは、３１個の台形の歯を含む。日ジャンパ９４０の日車規正部９４２が接触する日車９２０の内歯部分９２０ａのうちの日車９２０の回転方向で見て先にある歯を第１歯９２０ｆとし、後にある歯を第２歯９２０ｇとする。
日ジャンパ９４０の日車規正部９４２は、第１規正部９４２ａと、第２規正部９４２ｂとを含む。図２９に示す状態において、第１規正部９４２ａは第１歯９２０ｆの歯先の円弧に接触し、第２規正部９４２ｂは第２歯９２０ｇの歯先の円弧に接触している。
【０００９】
（４・３）日送りの作動
図２９に示す状態から、更に、日回し車９０６と日回しつめ９３０が回転すると、日回しつめ９３０のばね部分９３２の内周部と、中心部分９３１の外周部との間の隙間９３１ｂが狭くなり、図３０に示す状態になる。図３０は、図２８における「Ｂ点の状態」である。図２９に示す状態から図３０に示す状態になるまで、日ジャンパ９４０の第１規正部９４２ａは第１歯９２０ｆの歯先の円弧に接触し、第２規正部９４２ｂは第２歯９２０ｇの歯先の円弧に接触したままである。したがって、図２９に示す状態から図３０に示す状態になるまで、日車９２０は回転しない。
【００１０】
図３０に示す状態から、更に、日回し車９０６と日回しつめ９３０が更に回転すると、日回しつめ９３０は日車９２０を矢印で示す方向に回転させ、図３１に示す状態になる。図３１は、図２８における「Ｃ点の状態」である。図３１に示す状態では、日回しつめ９３０のばね部分９３２の内周部と、中心部分９３１の外周部との間の隙間９３１ｂは狭いままである。図３０に示す状態から図３１に示す状態になるまで、日ジャンパ９４０の第１規正部９４２ａは第１歯９２０ｆの歯先から離れ、第２歯９２０ｇの歯先の円弧は、第２規正部９４２ｂにそって滑る。したがって、図３１に示す状態では、第２歯９２０ｇの歯先の円弧は、第１規正部９４２ａと第２規正部９４２ｂの交点の直前の第２規正部９４２ｂと接触する。図２８における「Ｂ点の状態」から「Ｃ点の状態」まで日車９２０を回転させるとき、日送り抵抗は増加している。
【００１１】
図３１に示す状態から、更に、日回し車９０６と日回しつめ９３０が更に回転すると、日回しつめ９３０は日車９２０を矢印で示す方向に回転させ、図３２に示す状態になる。図３２は、図２８における「Ｄ点の状態」である。図３２に示す状態では、日回しつめ９３０のばね部分９３２の内周部と、中心部分９３１の外周部との間の隙間９３１ｂは狭いままである。すなわち、この状態は、日車９２０を回転させようとする力が日回しつめ９３０に蓄えられた状態である。
図３１に示す状態から図３２に示す状態になるまで、日ジャンパ９４０の第１規正部９４２ａと第２規正部９４２ｂの交点は、第２歯９２０ｇの台形の歯先の直線部分の上を滑る。図２８における「Ｃ点の状態」から「Ｄ点の状態」まで日車９２０を回転させるとき、日送り抵抗は急激に減少する。すなわち、図２８における「Ｃ点の状態」から「Ｄ点の状態」の間において、日回しつめ９３０に蓄えられた日車９２０を回転させようとする力は、日車９２０を回転させるのに必要な力（すなわち、日送り抵抗）に比べて、非常に大きいものになり、日車９２０は急激に回転を始める。
【００１２】
図３２に示す状態から、日回しつめ９３０が更に回転すると、日回しつめ９３０は日車９２０を矢印で示す方向に回転させ、図３３に示す状態になる。図３３は、図２８における「Ｅ点の状態」である。図２８における「Ｄ点の状態」から「Ｅ点の状態」まで日車９２０を回転させるときの日送り抵抗が、日車９２０を回転させるのに必要な力である。図３３に示す状態では、日回しつめ９３０のばね部分９３２の内周部と、中心部分９３１の外周部との間の隙間９３１ｂは広くなっている。図３２に示す状態から図３３に示す状態になるまで、日ジャンパ９４０の第１規正部９４２ａと第２規正部９４２ｂの交点は、第２歯９２０ｇの台形の歯先の直線部分の上を滑る。図２８における「Ｄ点の状態」から「Ｅ点の状態」まで日車９２０を回転させるとき、日回しつめ９３０の日車９２０に及ぼす力はわずかに減少するが、日回しつめ９３０に蓄えられた日車９２０を回転させようとする力は、日車９２０を回転させるのに必要な力（すなわち、日送り抵抗）に比べて、非常に大きいものであるので、日車９２０の回転が止められることはない。
【００１３】
図３３に示す状態から、更に、日回し車９０６と日回しつめ９３０が更に回転すると、日回しつめ９３０は日車９２０を矢印で示す方向に回転させる。この状態では、日回しつめ９３０のばね部分９３２の内周部と、中心部分９３１の外周部との間の隙間９３１ｂは広くなったままである。図３３に示す状態から、日ジャンパ９４０の第１規正部９４２ａと第２規正部９４２ｂの交点が第２歯９２０ｇの台形の歯先の直線部分を過ぎると、日ジャンパ９４０の日ジャンパばね部分９４４のばね力により、日車９２０を矢印で示す方向に更に回転させる。そして、日送り抵抗は「０」になる。図２８における「Ｅ点の状態」から更に日車９２０を回転させるとき、日回しつめ９３０の日車９２０に及ぼす力は更に減少する。この従来のカレンダ機構では、日回し車９０６が約９．６度回転することによりにより、日車９２０を、日付１日分だけ回転させることができる。すなわち、この従来のカレンダ機構では、日送り時間は、約３６分である。
【００１４】
（４・４）日修正の作動
図２６を参照すると、日修正をするときには、巻真３１０を１段目にした状態で、巻真９１０を第１方向に回転させると、日修正伝え車９１２が矢印で示す方向に回転する。日修正伝え車９１２が矢印で示す方向に回転すると、日修正車９１４は一方の方向に揺動した第１位置（日修正カム９１６が日車９２０の内歯部分９２０ａに噛合う位置）に移動する。日修正車９１４が一方の方向に揺動した第１位置にあるとき、日修正カム９１６は日車９２０の内歯部分９２０ａとかみあう。この状態で、巻真９１０を第１方向に回転させることにより、日車９２０を矢印で示す方向に回転させて、日修正を行うことができる。
図２７に示すように、日修正カム９１６の先端はとがっているけれども、日車９２０の内歯部分９２０ａの先端には直線部分があるので、日修正カム９１６の先端と日車９２０の内歯部分９２０ａの先端の直線部分が干渉するおそれがある。
【００１５】
巻真９１０を１段目にした状態で、巻真９１０を第１方向と反対の第２方向に回転させると、日修正伝え車９１２が矢印で示す方向と反対の方向に回転する。日修正伝え車９１２が矢印で示す方向と反対の方向に回転すると、日修正車９１４は他方の方向に揺動した第２位置（日修正カム９１６が日車９２０の内歯部分９２０ａに噛合わない位置）に移動する。この状態で、この状態で、巻真９１０を第２方向に回転させても、日車９２０は回転せず、日修正を行うことはできない。
【００１６】
【特許文献１】
特開平１０−１０４３６５号公報（第３〜５頁、図１）
【特許文献２】
実開昭５０−７６８６３号公報（第２〜５頁、第１図）
【非特許文献１】
Ｃｈａｒｌｅｓ−Ａｎｄｒｅ  Ｒｅｙｍｏｎｄｉｎほか著、「Ｔｈｅ  Ｔｈｅｏｒｙ  ｏｆ  Ｈｏｒｏｌｏｇｙ」、Ｔｈｅ  Ｓｗｉｓｓ  Ｆｅｄｅｒａｔｉｏｎ  ｏｆ  Ｔｅｃｈｎｉｃａｌ  Ｃｏｌｌｅｇｅｓ、１９９９年、第１９４〜１９８頁
【００１７】
【発明が解決しようとする課題】
しかしながら、従来のカレンダ付き時計のカレンダ機構には、下記の課題があった。
（１）特許文献１に開示されている従来のカレンダ機構では、日車を送るために１時間を超えるような長い時間を必要としていた。
（２）特許文献２に開示されている従来のカレンダ機構は、部品の形状が複雑であり、非常に高い部品の加工精度が要求され、部品の製造、組み立て、調整に長い時間を必要としていた。
（３）非特許文献１に開示されている従来のカレンダ機構では、多くの部品を必要としていた。そして、部品の製造、組み立て、調整に長い時間を必要としていた。
（４）図２４から図３３に示すような他の従来のカレンダ機構では、日車の歯の形が台形であるので、日修正時を行うとき、長いデッドポイント（日修正できない時間帯）が存在していた。また、このカレンダ機構では、揺動タイプの日修正機構を用いると、日修正車の修正歯が日車の歯のストレート部と干渉して、日修正ができなくなる現象が発生していた。
【００１８】
【発明の目的】
本発明の目的は、簡単な機構で、短い時間内に日車を送ることができるカレンダ機構を備えたカレンダ付き時計を提供することにある。
また、本発明の他の目的は、日修正時に、長いデッドポイントが存在することなく、確実に日修正ができる日修正機構を含むカレンダ付き時計を提供することにある。
【００１９】
【課題を解決するための手段】
本発明は、ムーブメントの基板を構成する地板と、時刻情報を表示するために地板に回転中心をもって回転する二番車と、時刻情報を修正するための切換装置と、時刻情報を表示するための文字板と、日を表示するための日車とを有するカレンダ付き時計において、日車の内歯部分は、３１個の三角形の歯を含んでいる。本発明のカレンダ付き時計は、地板の文字板側に配置され、かつ、地板に回転中心を有し、かつ、日車を回転させる日回し車と、日回し車に一体に設けられた日回しつめとを備え、日回しつめは、日回し車に一体に設けられた中心部分と、中心部分から延びる円弧状のばね部分と、ばね部分の先端に設けられており、かつ、日車を回転させるための日車送り部分とを含んでいる。本発明のカレンダ付き時計は、更に、地板の文字板側に配置され、かつ、日車を規正する規正部を有する日ジャンパを備え、該日ジャンパは、ベース部分と、日車規正部と、日ジャンパばね部分とを含んでおり、日ジャンパの日車規正部は日車の内歯部分に係合して、日車の回転を規正するように構成されている。この日ジャンパの日車規正部は、第１規正部と、第２規正部と、第３規正部とを含み、第２規正部は、第１規正部と第３規正部との間に設けられている。そして、本発明のカレンダ付き時計では、日ジャンパが日車を規正している状態において、第１規正部は日車の第１歯の歯先の円弧に接触し、第３規正部は、前記第１歯の隣の日車の第２歯の歯先の円弧に接触するように構成される。
【００２０】
本発明のカレンダ付き時計は、地板の前記文字板側に配置され、かつ、地板に回転中心をもって揺動可能に設けられており、かつ、日車を修正するためのカレンダ修正車を更に備えるのが好ましい。
また、本発明のカレンダ付き時計では、日ジャンパの日車規正部において、第１規正部と、第２規正部とのなす角度は１２０度〜１３５度であり、第２規正部と、第３規正部とのなす角度は１４０度〜１５５度であるのが好ましい。
【００２１】
また、本発明のカレンダ付き時計では、二番車の回転中心と、第１歯の歯先の円弧の中心とを結ぶ直線を第１歯先基準線と定義し、二番車の回転中心と、第２歯の歯先の円弧の中心とを結ぶ直線を第２歯先基準線と定義し、第１歯先基準線と、第２歯先基準線とのなす角度をＴ１とし、第１規正部と第２規正部の交点と、二番車の回転中心を結ぶ直線と、第１歯先基準線とのなす角度をＴ２とし、第２規正部と第３規正部の交点と、二番車の回転中心を結ぶ直線と、第１歯先基準線とのなす角度をＴ３とするとき、（Ｔ１−Ｔ３）は、（Ｔ３−Ｔ２）より小さくなるように構成され、（Ｔ３−Ｔ２）は、Ｔ２より小さくなるように構成されるのが好ましい。この構成により、短時間に確実に日車を送ることができ、かつ、日車を送った後、日ジャンパにより、確実に日車を規正することができる。
【００２２】
【発明の効果】
本発明により、日車を送るための時間を従来より短縮し、日車を送った後、日ジャンパにより、確実に日車を規正することができるようにしたカレンダ付き時計を実現することができる。
また、本発明により、部品の形状が簡単で、部品の製造、組み立て、調整が容易なカレンダ付き時計を実現することができる。
また、本発明により、揺動タイプの日修正機構を用いても、日修正車の修正歯が日車の歯のストレート部と干渉するおそれがほとんどないカレンダ付き時計を実現することができる。
【００２３】
【発明の実施の形態】
以下に、本発明のカレンダ付き時計の実施の形態を図面に基づいて説明する。（１）ムーブメントの表側の構造
最初に、本発明のカレンダ付き時計の実施の形態において、「ムーブメント」の表側（地板の文字板と反対にある方の側）に配置された表輪列、脱進機構、調速機構の構造を説明する。「ムーブメント」とは、時計を駆動する機構を含む時計の機械体を意味する。
図１〜図３、図７〜図９を参照すると、本発明のカレンダ付き時計において、ムーブメント１００は、ムーブメント１００の基板を構成する地板１０２を有する。巻真３１０が、地板１０２の巻真案内穴に回転可能に組み込まれる。文字板１０４（図１、図２、図８、図９に仮想線で示す）がムーブメント１００に取付けられる。
【００２４】
一般に、地板の両側のうちで、文字板のある方の側をムーブメントの「裏側」（或いは、「地板の裏側」）と称し、文字板のある方の側と反対側をムーブメントの「表側」（或いは、「地板の表側」）と称する。ムーブメントの「表側」に組み込まれる輪列を「表輪列」と称し、ムーブメントの「裏側」に組み込まれる輪列を「裏輪列」と称する。図７を参照すると、てんぷ３４０、がんぎ車３３０、アンクル３４２を含む脱進・調速装置と、四番車３２８、三番車３２６、二番車３２５、香箱車３２０を含む表輪列が、ムーブメント１００の「表側」に配置される。さらに、香箱車３２０の上軸部、二番車３２５の上軸部を回転可能なように支持する香箱受３６０と、三番車３２６の上軸部、四番車３２８の上軸部、がんぎ車３３０の上軸部を回転可能なように支持する輪列受３６２と、アンクル３４２の上軸部を回転可能なように支持するアンクル受３６６と、てんぷ３４０の上軸部を回転可能なように支持するてんぷ受３６６とが、ムーブメント１００の「表側」に配置される。
【００２５】
（２）脱進・調速装置および表輪列の構造と作用
次に、本発明のカレンダ付き時計の実施の形態において、脱進・調速装置および表輪列の構造を説明する。おしどり、かんぬき、かんぬきばね、かんぬき押さえなどを含む切換装置（詳細は後述する）により、巻真３１０の軸線方向の位置を決める。巻真３１０が、回転軸線方向に沿ってムーブメント１００の内側に一番近い方の第１の巻真位置（０段目）にある状態で巻真３１０を回転させると、つづみ車（図示せず）の回転を介してきち車（図示せず）が回転する。丸穴車（図示せず）が、きち車の回転により回転するように構成される。角穴車３１６が、丸穴車の回転により回転する。香箱車３２０は、香箱歯車３２０ｄと、香箱真３２０ｆ、ぜんまい３２２とを備える。角穴車３１６が回転することにより、香箱車３２０に収容されたぜんまい３２２を巻き上げるように構成される。
【００２６】
二番車３２５が、香箱車３２０の回転により回転するように構成される。二番車３２５は二番歯車３２５ａと、二番かな３２５ｂとを含む。香箱歯車３２０ｄは二番かな３２５ｂと噛み合うように構成される。三番車３２６が二番車３２５の回転により回転するように構成される。三番車３２６は三番歯車３２６ａと、三番かな３２６ｂとを含む。四番車３２８が、三番車３２６の回転により１分間に１回転するように構成される。四番車３２８は四番歯車３２８ａと、四番かな３２８ｂとを含む。三番歯車３２６ａは四番かな３２８ｂと噛み合うように構成される。四番車３２８の回転により、がんぎ車３３０は、アンクル３４２に制御されながら回転するように構成される。がんぎ車３３０はがんぎ歯車３３０ａと、がんぎかな３３０ｂとを含む。四番歯車３２８ａはがんぎかな３３０ｂと噛み合うように構成される。香箱車３２０、二番車３２５、三番車３２６、四番車３２８は表輪列を構成する。
【００２７】
表輪列の回転を制御するための脱進・調速装置は、てんぷ３４０と、がんぎ車３３０と、アンクル３４２とを含む。すなわち、がんぎ車３３０は、アンクル３４２、てんぷ３４０は脱進・調速装置を構成する。てんぷ３４０は、てん真３４０ａと、てん輪３４０ｂと、ひげぜんまい３４０ｃとを含む。ひげぜんまい３４０ｃは、複数の巻き数をもった、うずまき状（螺旋状）の形態の薄板ばねである。てんぷ３４０は、地板１０２及びてんぷ受３６６に対して回転可能なように支持される。
【００２８】
分車３２４は、分歯車３２４ａと筒かな３２４ｂとを含む。分歯車３２４ａは三番かな３２６ｂと噛み合うように構成される。分歯車３２４ａと筒かな３２４ｂは、一体になって回転するように構成される。筒かな３２４ｂと分歯車３２４ａには、筒かな３２４ｂが、分歯車３２４ａに対してスリップできるように構成されたスリップ機構が設けられる。三番車３２６の回転により分車３２４の回転を介して、日の裏車３４８が回転するように構成される。日の裏車３４８は日の裏歯車３４８ａと、日の裏かな３４８ｂとを含む。筒かな３２４ｂは日の裏歯車３４８ａと噛み合うように構成される。筒車３５４が日の裏かな３４８ｂと噛み合うように構成される。日の裏車３４８の回転により、筒車３５４は１２時間に１回転するように構成される。分車３２４、日の裏車３４８、筒車３５４は、裏輪列を構成する。
【００２９】
香箱車３２０、二番車３２５は、地板１０２及び香箱受３６０に対して回転可能なように支持される。すなわち、香箱車３２０の上軸部、二番車３２５の上軸部、がんぎ車３３０の上軸部は、輪列受３６２に対して回転可能なように支持される。また、香箱車３２０の下軸部、二番車３２５の下軸部は、地板１０２に対して、回転可能に支持される。三番車３２６、四番車３２８、がんぎ車３３０は、地板１０２及び輪列受３６２に対して回転可能なように支持される。すなわち、三番車３２６の上軸部、四番車３２８の上軸部、がんぎ車３３０の上軸部は、輪列受３６２に対して回転可能なように支持される。
【００３０】
また、三番車３２６の下軸部、がんぎ車３３０の下軸部は、地板１０２に対して、回転可能に支持される。四番車３２８の下軸部は、地板１０２に固定された中心パイプ１０２ｊの中心穴の中に回転可能に支持される。アンクル３４２は、地板１０２及びアンクル受３６４に対して回転可能なように支持される。すなわち、アンクル３４２の上軸部は、アンクル受３６４に対して回転可能なように支持される。アンクル３４２の下軸部は、地板１０２に対して、回転可能に支持される。
【００３１】
香箱車３２０の回転により、二番車３２５、三番車３２６の回転を介して、分車３２４は１時間に１回転する。分車３２４の筒かな３２４ｂに取付けられた分針３５２が「分」を表示する。二番車３２５の回転により、三番車３２６の回転を介して、四番車３２８は１分間に１回転する。四番車３２８に取付けられた秒針３５８が「秒」を表示する。分車３２４の回転に基づいて、日の裏車３４８の回転を介して、筒車３５４は１２時間に１回転する。筒車３５４に取付けられた時針３５６が「時」を表示する。
【００３２】
巻真３１０を引き出して第３の巻真位置（２段目）にある状態で、巻真３１０を回転させると、つづみ車４６２（図１３参照）、小鉄車４６４（図１３参照）の回転を介して、日の裏車３４８を回転させることができる。この状態で、日の裏車３４８を回転させると、筒かな３２４ｂおよび筒車３５４を回転させることができるので、時計の時刻を修正することができる。この状態では、筒かな３２４ｂおよび分歯車３２４ａに設けられたスリップ機構によりは、筒かな３２４ｂは分歯車３２４ａに対してスリップすることができる。
【００３３】
（３）自動巻機構の構造
次に、本発明のカレンダ付き時計の実施の形態において、自動巻機構の構造を説明する。図１〜図３を参照すると、自動巻機構は回転錘２１０と、回転錘２１０の回転に基づいて回転する一番仲介車２１２と、一番仲介車２１２の回転に基づいて回転する二番仲介車２１６と、一番仲介車２１２および二番仲介車２１６の回転に基づいて１方向に回転する切換伝え車２２０と、切換伝え車２２０の回転に基づいて回転する一番伝え車２５０と、一番伝え車２５０の回転に基づいて回転する二番伝え車２５２と、二番伝え車２５２の回転に基づいて回転する三番伝え車２５４とを備える。回転錘２１０は、輪列受３６２に固定された内輪２１０ａと、複数のボール２１０ｂと、外輪２１０ｃと、外輪２１０ｃと一体に設けられた回転錘かな２１０ｄと、外輪２１０ｃに固定された回転錘体２１０ｅと、回転錘体２１０ｅに固定された回転重錘２１０ｆとを含む。外輪２１０ｃはボール２１０ｂを介して内輪２１０ａに対して回転可能なように構成される。
【００３４】
一番仲介車２１２は一番仲介歯車２１２ａと、一番仲介かな２１２ｂとを含む。一番仲介車２１２は地板１０２に設けられた一番仲介車ピン１０２ｇに対して回転可能に設けられる。回転錘かな２１０ｄは一番仲介歯車２１２ａと噛み合うように構成される。二番仲介車２１６は二番仲介歯車２１６ａを含む。二番仲介歯車２１６ａは一番仲介かな２１２ｂと噛み合うように構成される。二番仲介車２１６の上軸部、切換伝え車２２０の上軸部２２０ａは、輪列受３６２に対して回転可能に設けられる。二番仲介車２１６の下軸部、切換伝え車２２０の下軸部２２０ｅは、地板１０２に対して回転可能に設けられる。
【００３５】
一番伝え車２５０は一番伝え歯車２５０ａと、一番伝えかな２５０ｂとを含む。二番伝え車２５２は二番伝え歯車２５２ａを含む。一番伝えかな２５０ｂは二番伝え歯車２５２ａと噛み合うように構成される。三番伝え車２５４は三番伝え歯車２５４ａと、三番伝えかな２５４ｂとを含む。二番伝え歯車２５２ａは一番伝えかな２５０ｂおよび三番伝え歯車２５４ａと噛み合うように構成される。一番伝え車２５０の上軸部、二番伝え車２５２の上軸部は、伝え受２７０に対して回転可能に設けられる。一番伝え車２５０の下軸部、二番伝え車２５２の下軸部は、香箱受３６０に対して回転可能に設けられる。三番伝え車２５４は香箱受３６０に設けられた三番伝え車ピン３６０ｇに対して回転可能に設けられる。三番伝えかな２５４ｂは角穴車３１６と噛み合うように構成される。
【００３６】
（４）切換伝え車の構造
次に、本発明のカレンダ付き時計の実施の形態において、切換伝え車の構造を説明する。図１〜図４を参照すると、切換伝え車２２０は、切換伝えかな２２２と、切換伝えかな２２２に対して回転可能に設けられた切換上段車２３０と、切換伝えかな２２２に固定された切換上座２３６と、切換伝えかな２２２に固定された切換つめ２３８と、切換伝えかな２２２に対して回転可能に設けられた切換下段車２４０と、切換伝えかな２２２に固定された切換下座２４６とを含む。切換伝えかな２２２は、上軸部２２２ａと、ピニオン部分２２２ｂと、第１段部２２２ｃと、第２段部２２２ｄと、下軸部２２２ｅとを含む。切換上座２３６は第１段部２２２ｃに固定される。切換下座２４６は第２段部２２２ｄに固定される。
【００３７】
切換上段車２３０は、一番仲介かな２１２ｂと噛み合う切換上歯車体２３２と、ラチェット歯車２３４ｈを有しかつ切換上歯車体２３２に固定された切換上つめ車２３４とを含む。切換上歯車体２３２および切換上つめ車２３４は、切換上座２３６のつば部と切換つめ２３８との間で、切換上座２３６に対して回転可能なように構成される。切換下段車２４０は、二番仲介車２１６の二番仲介歯車２１６ａと噛み合う切換下歯車体２４２と、ラチェット歯車２４４ｈを有しかつ切換下歯車体２４２に固定された切換下つめ車２４４とを含む。切換下歯車体２４２および切換下つめ車２４４は、切換下座２４６のつば部と切換つめ２３３との間で、切換下座２４６に対して回転可能なように構成される。
【００３８】
図４〜図６を参照すると、切換つめ２３８は、上作動部２３８ｂと、上ばね部２３８ｃと、ベース部２３８ｄと、下作動部２３８ｆと、下ばね部２３８ｇと、ベース部２３８ｄに設けられた中心穴２３８ｋとを含む。切換つめ２３８の上ばね部２３８ｃは上作動部２３８ｂとベース部２３８ｄとの間に設けられ。切換つめ２３８の下ばね部２３８ｇは下作動部２３８ｆとベース部２３８ｄとの間に設けられる。
【００３９】
切換つめ２３８は、ステンレス鋼などの弾性材料で作られる。ベース部２３８ｄの中心穴は切換上座２３８に固定される。したがって、切換つめ２３８は切換伝えかな２２２と一体に回転するように構成される。切換つめ２３８の上作動部２３８ｂは、切換上つめ車２３４のラチェット歯車２３４ｈに噛み合うことができるように構成される。切換つめ２３８の下作動部２３８ｆは、切換下つめ車２４４のラチェット歯車２４４ｈに噛み合うことができるように構成される。切換つめ２３８の上ばね部２３８ｃは、ベース部２３８ｄに対して上方に直角になるように構成されるのがよい。切換つめ２３８の上作動部２３８ｂは上ばね部２３８ｃの先端部に形成される。この構成により、切換つめ２３８の上作動部２３８ｂは、上ばね部２３８ｃの弾性力により、切換上つめ車２３４のラチェット歯車２３４ｈに確実に押しつけられる。
【００４０】
切換つめ２３８の下ばね部２３８ｇは、ベース部２３８ｄに対して下方に直角になるように構成されるのがよい。切換つめ２３８の下作動部２３８ｆは下ばね部２３８ｇの先端部に形成される。この構成により、切換つめ２３８の下作動部２３８ｆは、下ばね部２３８ｇの弾性力により、切換下つめ車２４４のラチェット歯車２４４ｈに確実に押しつけられる。ベース部２３８ｄに対して平行な平面に投影したときの切換つめ２３８の平面形状は、切換つめ２３８の中心穴２３８ｋの中心を基準として点対称形状であるのがよい。この構成により、切換つめ２３８は、切換上つめ車２３４のラチェット歯車２３４ｈと、切換下つめ車２４４のラチェット歯車２４４ｈに確実にバランスよく押しつけられるようになる。。
【００４１】
（５）自動巻機構の作用
次に、本発明のカレンダ付き時計の実施の形態において、自動巻機構の作用を説明する。図３および図５を参照すると、回転錘２１０が時計周り方向に回転したときの作動について説明する。回転錘２１０が時計周り方向に回転すると、一番仲介車２１２は反時計周り方向に回転する。一番仲介車２１２が反時計周り方向に回転すると、切換上歯車体２３２は時計周り方向に回転する。切換上歯車体２３２が時計周り方向に回転すると、切換上つめ車２３４も時計周り方向に回転する。この状態では、切換つめ２３８の上作動部２３８ｂは切換上つめ車２３４のラチェット歯車２３４ｈと噛み合う。したがって、切換上つめ車２３４が時計周り方向に回転することにより切換つめ２３８も時計周り方向に回転するので、切換伝えかな２２２も時計周り方向に回転する。
【００４２】
また、一番仲介車２１２が反時計周り方向に回転すると、二番仲介車２１６は時計周り方向に回転する。二番仲介車２１６が時計周り方向に回転すると、切換下歯車体２４２は反時計周り方向に回転する。切換下歯車体２４２が反時計周り方向に回転すると、切換下つめ車２４４も反時計周り方向に回転する。この状態では、切換つめ２３８の下作動部２３８ｆは切換下つめ車２４４のラチェット歯車２４４ｈから逃げるように作動する。したがって、切換下歯車体２４２が回転することにより切換伝えかな２２２を回転させることはできない。
【００４３】
次に、図３および図６を参照すると、回転錘２１０が反時計周り方向に回転したときの作動について説明する。回転錘２１０が反時計周り方向に回転すると、一番仲介車２１２は時計周り方向に回転する。一番仲介車２１２が時計周り方向に回転すると、切換上歯車体２３２は反時計周り方向に回転する。切換上歯車体２３２が反時計周り方向に回転すると、切換上つめ車２３４も反時計周り方向に回転する。この状態では、切換つめ２３８の上作動部２３８ｂは切換上つめ車２３４のラチェット歯車２３４ｈから逃げるように作動する。したがって、切換上歯車体２３２が回転することにより切換伝えかな２２２を回転させることはできない。
【００４４】
また、一番仲介車２１２が時計周り方向に回転すると、二番仲介車２１６は反時計周り方向に回転する。二番仲介車２１６が反時計周り方向に回転すると、切換下歯車体２４２は時計周り方向に回転する。切換下歯車体２４２が時計周り方向に回転すると、切換下つめ車２４４も時計周り方向に回転する。この状態では、切換つめ２３８の下作動部２３８ｆは切換下つめ車２４４のラチェット歯車２４４ｈと噛み合う。したがって、切換下つめ車２４４が時計周り方向に回転することにより切換つめ２３８も時計周り方向に回転するので、切換伝えかな２２２も時計周り方向に回転する。
【００４５】
以上説明したように、本発明のカレンダ付き時計の自動巻機構では、回転錘２１０が時計周り方向に回転したときも、回転錘２１０が反時計周り方向に回転したときも、切換伝えかな２２２は一定方向、すなわち、時計周り方向に回転することができる。このような作動は、切換つめ２３８を備えた本発明の自動巻時計の切換伝え車２２０により、確実に行われる。
本発明のカレンダ付き時計の自動巻機構においては、回転錘２１０が回転する方向にかかわらず、切換伝えかな２２２の回転方向は一定であるので、切換伝えかな２２２の回転に基づいて、一番伝え車２５０、三番伝え車２５２の回転を介して角穴車３１６を一方向にのみ回転させることができる。図３および図８を参照すると、角穴車３１６が回転することにより、香箱車３２０内のぜんまい３２２を一方向にのみ巻き上げることができる。
【００４６】
（５）自動巻機構の変形例の構造と作用
次に、本発明のカレンダ付き時計の実施の形態において、自動巻機構の変形例の構造と作用を説明する。以下の説明は、主として、本発明の自動巻時計の変形例の構造及び作用と、上記の本発明の自動巻時計の実施形態の構造及び作用の相違点について行う。したがって、以下に記載がない個所は、前述した本発明の自動巻時計の実施形態についての説明をここに準用する。
図１０を参照すると、本発明のカレンダ付き時計の自動巻機構の変形例においては、自動巻機構は回転錘５１０と、回転錘５１０の回転に基づいて回転する一番仲介車５１２と、一番仲介車５１２の回転に基づいて回転する二番仲介車５１６と、一番仲介車５１２および二番仲介車５１６の回転に基づいて１方向に回転する切換伝え車５２０を備えている。回転錘５１０は、輪列受５６２に固定された内輪５１０ａと、複数のボール５１０ｂと、外輪５１０ｃと、外輪５１０ｃと一体に設けられた回転錘かな５１０ｄと、外輪５１０ｃに固定された回転錘体５１０ｅと、回転錘体５１０ｅに固定された回転重錘５１０ｆとを含む。
外輪５１０ｃはボール５１０ｂを介して内輪５１０ａに対して回転可能なように構成される。一番仲介車５１２は一番仲介歯車５１２ａと、一番仲介かな５１２ｂとを含む。一番仲介車５１２は地板５０２に設けられた一番仲介車ピン５０２ｇに対して回転可能に設けられる。回転錘かな５１０ｄは一番仲介歯車５１２ａと噛み合う。切換伝え車５２０は、切換伝えかな５２２と、切換上段車５３０と、切換伝えかな５２２に固定された切換上座５３６と、切換伝えかな５２２に固定された切換中座５２４と、切換下段車５４０と、切換伝えかな５２２に固定された切換下座５４６とを含む。
【００４７】
切換上段車５３０は、一番仲介かな５１２ｂと噛み合う切換上歯車体５３２と、ラチェット歯車５３４ｈを有しかつ切換上歯車体５３２に固定された切換上つめ車５３４とを含む。切換上歯車体５３２および切換上つめ車５３４は、切換上座５３６のつば部と切換中座５２４との間で、切換上座５３６に対して回転可能なように構成される。切換下段車５４０は、二番仲介車５１６の二番仲介歯車と噛み合う切換下歯車体５４２と、ラチェット歯車５４４ｈを有しかつ切換下歯車体５４２に固定された切換下つめ車５４４とを含む。切換下歯車体５４２および切換下つめ車５４４は、切換下座５４６のつば部と切換中座５２４との間で、切換下座５４６に対して回転可能なように構成される。
切換伝え車ピン５２６が切換中座５２４に固定される。上クラッチつめ５３８が切換伝え車ピン５２６を回転中心として回転可能なように、切換上歯車体５３２と切換中座５２４との間に配置される。上クラッチつめ５３８の上ラチェットつめ５３８ｂ、５３８ｃは、切換上つめ車５３４のラチェット歯車５３４ｈに噛み合うことができるように構成される。下クラッチつめ５４８が切換伝え車ピン５２６を回転中心として回転可能なように、切換下歯車体５４２と切換中座５２４との間に配置される。下クラッチつめ５４８の下ラチェットつめ５４８ｂ、５４８ｃは、切換下つめ車５４４のラチェット歯車５４４ｈに噛み合うことができるように構成される。
【００４８】
図１１を参照すると、回転錘５１０が時計周り方向に回転したときの作動について説明する。回転錘５１０が時計周り方向に回転すると、一番仲介車５１２は反時計周り方向に回転する。一番仲介車５１２が反時計周り方向に回転すると、切換上歯車体５３２は時計周り方向に回転する。切換上歯車体５３２が時計周り方向に回転すると、切換上つめ車５３４も時計周り方向に回転する。この状態では、上ラチェットつめ５３８ｂは切換上つめ車５３４のラチェット歯車５３４ｈと噛み合い、切換中座５２４が時計周り方向に回転するので、切換伝えかな５２２も時計周り方向に回転する。また、一番仲介車５１２が反時計周り方向に回転すると、二番仲介車５１６は時計周り方向に回転する。二番仲介車５１６が時計周り方向に回転すると、切換下歯車体５４２は反時計周り方向に回転する。切換下歯車体５４２が反時計周り方向に回転すると、切換下つめ車５４４も反時計周り方向に回転する。この状態では、下ラチェットつめ５４８ｂ、５４８ｃは切換下つめ車５４４のラチェット歯車５４４ｈから逃げるように作動するので、切換下歯車体５４２の回転により切換伝えかな５２２を回転させることはできない。
【００４９】
次に、図１２を参照すると、回転錘５１０が反時計周り方向に回転したときの作動について説明する。回転錘５１０が反時計周り方向に回転すると、一番仲介車５１２は時計周り方向に回転する。一番仲介車５１２が時計周り方向に回転すると、切換上歯車体５３２は反時計周り方向に回転する。切換上歯車体５３２が反時計周り方向に回転すると、切換上つめ車５３４も反時計周り方向に回転する。この状態では、上ラチェットつめ５３８ｂ、５３８ｃは切換上つめ車５３４のラチェット歯車５３４ｈから逃げるように作動するので、切換上歯車体５３２の回転により切換伝えかな５２２を回転させることはできない。また、一番仲介車５１２が時計周り方向に回転すると、二番仲介車５１６は反時計周り方向に回転する。二番仲介車５１６が反時計周り方向に回転すると、切換下歯車体５４２は時計周り方向に回転する。切換下歯車体５４２が時計周り方向に回転すると、切換下つめ車５４４も時計周り方向に回転する。この状態では、下ラチェットつめ５４８ｂは切換下つめ車５４４のラチェット歯車５４４ｈと噛み合い、切換中座５２４が時計周り方向に回転するので、切換伝えかな５２２も時計周り方向に回転する。したがって、このような自動巻機構では、回転錘５１０が時計周り方向に回転したときも、回転錘５１０が反時計周り方向に回転したときも、切換伝えかな５２２は一定方向、すなわち、時計周り方向に回転することができる。
【００５０】
上述した自動巻機構の変形例においては、回転錘５１０が回転する方向にかかわらず、切換伝えかな５２２の回転方向は一定であるので、切換伝えかな５２２の回転に基づいて、一番伝え車５５０などを含む伝達輪列の回転を介して角穴車３１６が一方向にのみ回転することができる。そして、角穴車３１６が回転することにより、香箱車３２０内のぜんまいを一方向にのみ巻き上げることができる。
【００５１】
（７）ムーブメントの表側における部品の配置
図１及び図７において、地板１０２に、分車３２４の回転中心３００を通り、巻真３１０の中心軸線とほぼ平行な地板基準垂直軸線３０６、及び、分車３２４の回転中心３００を通り地板基準垂直軸線３０６と垂直な地板基準水平軸線３０８を定義する。地板１０２には、地板基準垂直軸線３０６の一方の側に位置しかつ地板基準水平軸線３０８より巻真３１０に近い方の側に第１領域３０１が設けられる。地板１０２には、地板基準垂直軸線３０６の他方の側に位置しかつ地板基準水平軸線３０８より巻真３１０に近い方の側に第２領域３０２が設けられる。地板１０２には、地板基準垂直軸線３０６の上記第２領域３０２のある上記他方の側に位置しかつ地板基準水平軸線３０８より巻真３１０から遠い方の側に第３領域３０３が設けられる。地板１０２には、地板基準垂直軸線３０６の上記第１領域のある上記一方の側に位置しかつ地板基準水平軸線３０８より巻真３１０から遠い方の側に第４領域３０４が設けられている。
【００５２】
図７において、第１領域３０１及び第４領域３０４は地板基準垂直軸線３０６より右側にあるが、これらの領域は地板基準垂直軸線３０６より左側にあるように定義してもよい。もちろんこのときには、第２領域３０２及び第３領域３０３は、地板基準垂直軸線３０６より右側にあるように定義する。図３及び図７において、香箱車３２０の回転中心は第１領域３０１内にある。このように構成することにより、大きなトルクを有し長時間の持続が可能なぜんまいを、ムーブメントの表側に効果的に配置することができる。香箱車３２０の回転中心は第４領域３０４内にあってもよい。がんぎ車３３０の回転中心は第３領域３０３内にある。アンクル３４２の揺動中心は第３領域３０３内にある。てんぷ３４０の回転中心は第２領域３０２内にある。このように構成することにより、大きい香箱車を用いることができる。そして、この構成により、更に、時間精度の良い大きい慣性モーメントを持ったてんぷを、ムーブメントの表側に効果的に配置することができる。
【００５３】
てんぷ３４０の回転中心は、第３領域３０３内にあってもよい。すなわち、てんぷ３４０の回転中心は、第３領域３０３内にあってもよく、第２領域３０２内にあってもよいが、てんぷ３４０は、第２領域３０２と第３領域３０３との間の地板基準水平軸線３０８にオーバーラップするように配置されている。このように構成することにより、大きい三番車３２６を、ムーブメントの表側に効果的に配置することができる。
【００５４】
切換伝え車２２０の回転中心は、第４領域３０４内にある。しかしながら、切換伝え車２２０の回転中心は、第３領域３０３内にあってもよい。すなわち、切換伝え車２２０の回転中心は、第３領域３０３内にあってもよく、第４領域３０４内にあってもよいが、切換伝え車２２０は、第３領域３０３と第４領域３０４との間の地板基準垂直軸線３０６にオーバーラップするように配置されている。このように構成することにより、ムーブメントの表側において、切換伝え車２２０を表輪列と干渉しないように、効果的に配置することができる。
【００５５】
秒を表示するために作動する四番車３２８の回転中心は、分車３２４の回転中心３００と同一である。すなわち、本発明のカレンダ付き時計の実施の形態は、中三針腕時計を示す。四番車３２８の回転中心は、分車３２４の回転中心３００と別個の位置にあってもよい。三番車３２６が二番車３２５の回転を四番車３２８に伝達させる。三番車３２６の回転中心は、第４領域３０４内位置する。このように構成することにより、大きい三番車３２６を、ムーブメントの表側に効果的に配置することができる。ここで、輪列の数は上記のものだけに制限されず、更に、１つ以上の伝達車を追加してもよい。そして、おしどり４２０の揺動中心４２０ｃが第２領域３０２内にあり、かんぬき４３０の揺動中心４３０ｃが第２領域３０２内にあるように構成される。
【００５６】
なお、上記の各部品は、図７に示す構造になるように配置されるのが好ましいが、地板基準垂直軸線３０６に対して図７に示される構造とは鏡面対称の構造になるように配置されてもよい。例えば、香箱車３２０の回転中心が第２領域３０２内にあり、がんぎ車３３０の回転中心が第４領域３０４内にあり、アンクル３４２の揺動中心が第４領域３０４内にあり、てんぷ３４０の回転中心が第１領域３０１内にあるように構成してもよい。すなわち、図７に示される構造と鏡面対称の構造では、てんぷ３４０の回転中心は、第１領域３０１内にあってもよく、第４領域３０４内にあってもよいが、てんぷ３４０は、第１領域３０１と第４領域３０４との間の地板基準水平軸線３０８にオーバーラップするように配置される。そして、図７に示される構造と鏡面対称の構造では、おしどり４２０の揺動中心４２０ｃが第１領域３０１内にあり、かんぬき４３０の揺動中心４３０ｃが第１領域３０１内にあるように構成される。このように構成しても、図７の構成と同様に、小型で薄型のカレンダ付き時計を実現することができる。
【００５７】
（８）切換装置の構造
次に、本発明のカレンダ付き時計の実施形態において、切換装置の構造について説明する。図１３を参照すると、ムーブメント１００の裏側（文字板側）において、おしどり４２０の揺動中心４２０ｃは第２領域３０２内にある。かんぬき４３０の揺動中心４３０ｃは第２領域３０２内にある。作動レバー４５０の揺動中心４５０ｃは第２領域３０２内にある。かんぬき押さえ４４０がおしどり４２０、かんぬき４３０、作動レバー４５０のそれぞれの一部を地板１０２に押さえている。おしどり４２０、かんぬき４３０、かんぬき押さえ４４０、作動レバー４５０は、地板１０２の裏側に組み込まれる。小鉄車４６４が作動レバー４５０に回転可能に取り付けられる。つづみ車４６２が巻真３１０に同軸に取り付けられる。
【００５８】
かんぬき押さえ４４０は弾性変形可能な材料で製造され、例えば、ステンレス鋼で製造されるのが好ましい。かんぬき４３０は弾性変形可能な材料で製造され、例えば、ステンレス鋼で製造されるのが好ましい。かんぬき押さえ４４０の山形部分４４２がおしどり４２０の位置決めピンに係合して、おしどり４２０の位置を決め、かつ、巻真３１０の切換重さを設定する。
作動レバー４５０の位置を決めるための作動レバー位置決めピンがおしどり４２０に設けられる。作動レバー位置決めピンを受け入れるための作動レバー案内穴が作動レバー４５０に設けられる。おしどり４２０が回転することにより、作動レバー位置決めピンは作動レバー案内穴の中を移動するように構成される。それによって、巻真３１０を０段目から１段目にしたとき、作動レバー４５０は回転せず、巻真３１０を１段目から２段目にしたとき、作動レバー４５０は回転するように構成される。
【００５９】
本発明のカレンダ付き時計では、巻真３１０を０段目から１段目、２段目に引き出すことができるように、かんぬき押さえ４４０の山形部分４４２を構成している。かんぬき４３０のばね部分４３２のばね力により、かんぬきの案内谷部がおしどり４２０の先端部分の側面に押しつけられる。巻真３１０を０段目にした状態で、巻真３１０を回転させると、つづみ車４６２は回転するが、つづみ車４６２は小鉄車４６４とは噛合わないように構成される。巻真３１０を１段目にした状態で、巻真３１０を回転させるとつづみ車４６２は回転し、つづみ車４６２は小鉄車４６４と噛合い、巻真３１０を回転させるとつづみ車４６２の回転を介して小鉄車４６４は回転するように構成される。巻真３１０を２段目にした状態で、巻真３１０を回転させるとつづみ車４６２は回転するように構成される。さらに、巻真３１０を１段目から２段目にしたとき、作動レバー４５０が回転することにより、つづみ車４６２は小鉄車４６４と噛合い、小鉄車４６４は日の裏車３４８と噛合う。この状態で、巻真３１０を回転させるとつづみ車４６２と小鉄車４６４の回転を介して日の裏車３４８は回転するように構成される。
【００６０】
（９）カレンダ装置の構造
次に、本発明のカレンダ付き時計の実施形態において、カレンダ装置の構造について説明する。図１３を参照すると、本発明のカレンダ付き時計は、ムーブメント１００の裏側（文字板側）において、ムーブメントの基板を構成する地板１０２に、分車３２４及び筒車３５４の回転中心３００を通り、巻真３１０の中心軸線とほぼ平行な地板基準垂直軸線３０６、及び、分車３２４の回転中心３００を通り地板基準垂直軸線３０６と垂直な地板基準水平軸線３０８を定義する。地板１０２には、地板基準垂直軸線３０６の一方の側に位置しかつ地板基準水平軸線３０８より巻真３１０に近い方の側に第１領域３０１が設けられる。地板１０２には、地板基準垂直軸線３０６の他方の側に位置しかつ地板基準水平軸線３０８より巻真３１０に近い方の側に第２領域３０２が設けられる。地板１０２には、地板基準垂直軸線３０６の上記第２領域３０２のある上記他方の側に位置しかつ地板基準水平軸線３０８より巻真３１０から遠い方の側に第３領域３０３が設けられる。地板１０２には、地板基準垂直軸線３０６の上記第１領域のある上記一方の側に位置しかつ地板基準水平軸線３０８より巻真３１０から遠い方の側に第４領域３０４が設けられている。
【００６１】
図１３において、第１領域３０１及び第４領域３０４は地板基準垂直軸線３０６より左側にあるが、これらの領域は地板基準垂直軸線３０６より右側にあるように定義してもよい。このときには、第２領域３０２及び第３領域３０３は、地板基準垂直軸線３０６より左側にあるように定義する。筒車３５４が日回し中間車Ａ７０２と噛み合う。日回し中間車Ａ７０２が日回し中間車Ｂ７０４の日回し中間歯車と噛み合う。日回し中間車Ｂ７０４の日回し中間かなが日回し車７０６と噛み合う。日車７２０が地板１０２に回転可能に組み込まれる。日回しつめ７３０が日回し車７０６に一体に設けられる。日回し車７０６が回転することにより、日回しつめ７３０が日車７２０を回転させるように構成される。日回しつめ７３０を一体に形成した日回し車７０６は、日回し手段を構成する。
【００６２】
日修正伝え車Ａ７０８が日修正伝え車Ｂ７１０と噛み合う。日修正伝え車Ｂ７１０は日修正車７１４と噛み合う。日修正車７１４は、揺動可能に地板１０２の円弧長穴１０２ｈに組み込まれる。日修正かな７１６が日修正車７１４に一体に設けられる。図１４および図１５を参照すると、巻真３１０を１段目にした状態で、日修正車７１４が一方の方向に揺動した第１位置にあるとき、日修正かな７１６は日車７２０の内歯部分７２０ａとかみあうように構成される。日修正車７１４が他方の方向に揺動した第２位置にあるとき、日修正かな７１６は日車７２０の内歯部分７２０ａとかみあわないように構成される。巻真３１０を１段目にした状態で、巻真３１０を回転させると、つづみ車４６２と小鉄車４６４の回転を介して日修正伝え車Ａ７０８は回転するように構成される。この状態で、日修正伝え車Ａ７０８の回転により、日修正伝え車Ｂの回転を介して日修正車７１４と日修正かな７１６が回転して、日修正かな７１６により日車７２０の内歯部分７２０ａを回転させるように構成される。
【００６３】
図１３、図１４および図１８を参照すると、日ジャンパ７４０が、地板１０２の文字板１０４の側で第２領域３０２および第３領域３０３内に設けられる。日ジャンパ７４０は、ベース部分７４１と、日車規正部７４２と、日ジャンパばね部分７４４とを含む。ベース部分７４１に設けられた穴が、地板１０２に設けられた日ジャンパピンに組み込まれる。ベース部分７４１に設けられた穴の中心は、日ジャンパ７４０の回転中心７４０ｃを構成する。日ジャンパ７４０の日車規正部７４２は日車７２０の内歯部分７２０ａに係合して、日車７２０の回転を規正する。
【００６４】
日ジャンパ７４０の日ジャンパばね部分７４４は、日車規正部７４２を基準として、日ジャンパ７４０の回転中心７４０ｃから日車７２０の回転する方向と逆の方向に向かって延びる直線状の第１部分と、第１部分に連続する略半円形状の第２部分と、第２部分に連続し、第１部分と略反対方向延びる直線状の第１部分とを含む。すなわち、日ジャンパ７４０の日ジャンパばね部分７４４は、ほぼ「Ｊ」字形に形成されるのがよい。日ジャンパばね部分７４４をこのように構成することにより、日車７２０を滑らかに回転させることができる。日ジャンパ７４０は弾性変形可能な材料で製造される。例えば、日ジャンパ７４０はりん青銅或いはステンレス鋼で製造されるのが好ましい。図１３では、日車７２０の回転方向は反時計回り方向である。日ジャンパ７４０は日車７２０を規正する日車規正手段を構成する。日ジャンパ７４０を日車押さえ７６０と一体に形成してもよいし、或いは、日ジャンパ７４０を日車押さえ７６０と別個に形成してもよい。日車押さえ７６０に日ジャンパ７４０を一体に形成するとき、日車押さえ７６０は弾性変形可能な材料で製造される。この場合に、日車押さえ７６０は、例えば、りん青銅或いはステンレス鋼で製造されるのが好ましい。
【００６５】
日修正伝え車Ａ７０８の回転中心は、第１領域３０１内に位置する。日修正伝え車Ｂ７１０の回転中心は、第１領域３０１内に位置する。日修正車７１６の回転中心は、第１領域３０１内に位置する。日車７２０を規正する日ジャンパ７４０の規正部７４２は、第３領域３０３内に位置する。日回し車７０６の回転中心は、第３領域３０３内に位置する。日回しつめ７３０の回転中心も、第３領域３０３内に位置する。日ジャンパ７４０の規正部７４２は、日回し車７０６の近くに配置されるのが好ましい。かつ、日車７２０の回転方向において、順に、日ジャンパ７４０、日回し車７０６と配置されるのが好ましい。更に、日回し車７０６の回転中心、日回しつめ７３０の回転中心は、それぞれ、第３領域３０３内の円周方向のほぼ中間部の付近に位置するのが好ましい。
【００６６】
（１０）日送り機構の構造
次に、本発明のカレンダ付き時計の日送り機構の構造について説明する。図１３および図１８を参照すると、日回し車７０６は、筒車３５４の回転に基づいて回転する日回し歯車部と、日回し歯車部の地板１０２のある方の面の中心に設けられた日回し筒部（図示せず）とを備える。日回し筒部は、地板１０２の日回し車組込軸に回転可能に組み込まれる。日車押さえ７６０の一部が、日回し車７０６の少なくとも一部を回転可能に地板１０２に保持する日回し車保持部を有する。この構造により、日回し車７０６を地板１０２に保持することができる。日回し車７０６は、黄銅のような金属で製造されるのが好ましい。日回しつめ７３０の中心部分７３１は、溶接、打ち込みなどにより、日回し車７０６に固定されるのがよい。複数の日車押さえ止めねじ７８０により、日車押さえ７６０を地板１０２に固定する。日車押さえ止めねじ７８０を３本以上設けるのが好ましい。
【００６７】
日回しつめ７３０は、リン青銅、ステンレス鋼などの弾性材料で形成される。日回しつめ７３０は、日回し車７０６に一体に設けられた中心部分７３１と、中心部分７３１から延びる円弧状のばね部分７３２と、日車７２０を回転させるための日車送り部分７３３とを含む。日車送り部分７３３は、ばね部分７３２の先端に設けられる。ばね部分７３２は、ほぼ２７０度の角度の範囲に形成される。ばね部分７３２の内周部と、中心部分７３１の外周部との間には、隙間７３１ｂが設けられる。図１８に矢印で示すように、日車７２０は反時計周り方向に回転するように構成される。同様に、図１８に矢印で示すように、日回し車７０６も反時計周り方向に回転するように構成される。
【００６８】
図１８を参照すると、図１８は、日回し車７０６とともに日回しつめ７３０の日車送り部分７３３が回転してきて、まさに日車７２０の内歯部分７２０ａに接触した状態を示している。この状態を、図１７において、日車回転角が０度である状態、すなわち、「Ａ点の状態」と定義する。
日車７２０の内歯部分７２０ａは、３１個の三角形の歯を含む。日ジャンパ７４０の日車規正部７４２が接触する日車７２０の内歯部分７２０ａのうちの日車７２０の回転方向で見て先の方に位置する歯を第１歯７２０ｆとし、回転方向でみて後の方に位置する歯を第２歯７２０ｇとする。第１歯７２０ｆは、日回しつめ７３０が送る日車７２０の内歯部分７２０ａの歯から、回転方向でみて２つ後の方に位置する歯である。第２歯７２０ｇは、日回しつめ７３０が送る日車７２０の内歯部分７２０ａの歯から、回転方向でみて３つ後の方に位置する歯である。
【００６９】
分車３２４および筒車３５４の回転中心３００と、第１歯７２０ｆの歯先の円弧の中心とを結ぶ直線を第１歯先基準線７７０と定義する。分車３２４の回転中心３００と、第２歯７２０ｇの歯先の円弧の中心とを結ぶ直線を第２歯先基準線７７１と定義する。第１歯先基準線７７０と、第２歯先基準線７７１とのなす角度Ｔ１は（３６０／３１）度である。日車７２０の第１歯７２０ｆの回転方向で見て先にある面と、第１歯先基準線７７０とのなす角度Ｓ１は４０度である。日車７２０の第１歯７２０ｆの回転方向で見て後にある面と、第１歯先基準線７７０とのなす角度Ｓ２は５度である。日車７２０の第１歯７２０ｆの回転方向で見て先にある面と、日車７２０の第１歯７２０ｆの回転方向で見て後にある面とのなす角度（Ｓ１＋Ｓ２）は４５度である。日車７２０の歯の歯先には、半径０．０５ｍｍ〜０．１５ｍｍのアール部を設けるのがよい。
【００７０】
日ジャンパ７４０の日車規正部７４２は、第１規正部７４２ａと、第２規正部７４２ｂと、第３規正部７４２ｃとを含む。第２規正部７４２ｂは、第１規正部７４２ａと、第３規正部７４２ｃとの間に設けられる。図１８に示す状態において、第１規正部７４２ａは第１歯７２０ｆの歯先の円弧に接触し、第３規正部７４２ｃは第２歯７２０ｇの歯先の円弧に接触している。第１規正部７４２ａと第２規正部７４２ｂの交点と、分車３２４の回転中心３００を結ぶ直線７７２と、第１歯先基準線７７０とのなす角度Ｔ２は５．８度である。第２規正部７４２ｂと第３規正部７４２ｃの交点と、分車３２４の回転中心３００を結ぶ直線７７２と、第１歯先基準線７７０とのなす角度Ｔ３は９．３度である。第１規正部７４２ａと、第１歯先基準線７７０とのなす角度Ｔ４は６２度である。第２規正部７４２ｂと、第１歯先基準線７７０とのなす角度Ｔ５は６３度である。第３規正部７４２ｃと、第１歯先基準線７７０とのなす角度Ｔ６は３３度である。
【００７１】
日ジャンパ７４０の日車規正部７４２において、第１規正部７４２ａと、第２規正部７４２ｂとのなす角度Ｋ１は１２２．５度である。Ｋ１は１１５度〜１３０度であるのが好ましい。また、第２規正部７４２ｂと、第３規正部７４２ｃとのなす角度Ｋ２は１５０度である。Ｋ２は１４０度〜１６０度であるのが好ましい。
図１８において、（Ｔ１−Ｔ３）は、（Ｔ３−Ｔ２）より小さくなるように構成されるのが好ましい。（Ｔ３−Ｔ２）は、Ｔ２より小さくなるように構成されるのが好ましい。この構成により、短時間に確実に日車を送ることができ、かつ、日車を送った後、日ジャンパ７４０により、確実に日車を規正することができる。
【００７２】
（１１）カレンダ装置の作動
次に、本発明のカレンダ付き時計のカレンダ装置の作動について説明する。
（１１・１）日送り
最初に、本発明のカレンダ付き時計の日送りの作動について説明する。図１３および図１４を参照すると、筒車３５４は、表輪列の回転に基づいて１２時間に１回転する。日回し中間車Ａ７０２は筒車３５４の回転に基づいて回転する。日回し中間車Ｂ７０４は日回し中間車Ａ７０２の回転に基づいて回転する。日回し車７０６は、日回し中間車Ｂ７０４の回転に基づいて、２４時間に１回転する。日回し車７０６と一体の日回しつめ７３０が回転することによりにより、日車７２０を１日に１回、日付１日分だけ回転させることができる。日車７２０の回転方向の位置は、日ジャンパ７４０により規正されている。
【００７３】
図１８を参照すると、図１８は、前述したように、図１７における「Ａ点の状態」である。図１８に示す状態において、第１規正部７４２ａは第１歯７２０ｆの歯先の円弧に接触し、第３規正部７４２ｃは第２歯７２０ｇの歯先の円弧に接触している。図１８に示す状態から、更に、日回し車７０６と日回しつめ７３０が回転すると、日回しつめ７３０のばね部分７３２の内周部と、中心部分７３１の外周部との間の隙間７３１ｂが狭くなり、図１９に示す状態になる。図１９は、図１７における「Ｂ点の状態」である。図１８に示す状態から図１９に示す状態になるまで、日ジャンパ７４０の第１規正部７４２ａは第１歯７２０ｆの歯先の円弧に接触し、第３規正部７４２ｃは第２歯７２０ｇの歯先の円弧に接触したままである。したがって、図１８に示す状態から図１９に示す状態になるまで、日車７２０は回転しない。
【００７４】
図１９に示す状態から、更に、日回し車７０６と日回しつめ７３０が更に回転すると、日回しつめ７３０は日車７２０を矢印で示す方向に回転させ、図２０に示す状態になる。図２０は、図１７における「Ｃ点の状態」である。図２０に示す状態では、日回しつめ７３０のばね部分７３２の内周部と、中心部分７３１の外周部との間の隙間７３１ｂは狭いままである。図１９に示す状態から図２０に示す状態になるまで、日ジャンパ７４０の第１規正部７４２ａは第１歯７２０ｆの歯先から離れ、第２歯７２０ｇの歯先の円弧は、第３規正部７４２ｃにそって滑る。したがって、図２０に示す状態では、第２歯７２０ｇの歯先の円弧は、第２規正部７４２ｂと第３規正部７４２ｃの交点の直前の第３規正部７４２ｃと接触する。図１７における「Ｂ点の状態」から「Ｃ点の状態」まで日車７２０を回転させるとき、日送り抵抗はわずかに減少する。
【００７５】
図２０に示す状態から、更に、日回し車７０６と日回しつめ７３０が更に回転すると、日回しつめ７３０は日車７２０を矢印で示す方向に回転させ、図２１に示す状態になる。図２１は、図１７における「Ｄ点の状態」である。図２１に示す状態では、日回しつめ７３０のばね部分７３２の内周部と、中心部分７３１の外周部との間の隙間７３１ｂは狭いままである。図２０に示す状態から図２１に示す状態になるまで、日ジャンパ７４０の第１規正部７４２ａは第１歯７２０ｆの歯先から離れ、第２歯７２０ｇの歯先の円弧は、第２規正部７４２ｂと第３規正部７４２ｃの交点を越えて滑る。したがって、図２１に示す状態では、第２歯７２０ｇの歯先の円弧は、第２規正部７４２ｂと第３規正部７４２ｃの交点の直後の第２規正部７４２ｂと接触する。
図１７における「Ｃ点の状態」から「Ｄ点の状態」まで日車７２０を回転させるとき、日送り抵抗は急激に減少する。すなわち、図１７における「Ｃ点の状態」から「Ｄ点の状態」の間において、日回しつめ７３０に蓄えられた日車７２０を回転させようとする力は、日車７２０を回転させるのに必要な力（すなわち、日送り抵抗）に比べて、非常に大きいものになり、日車７２０は急激に回転を始める。
【００７６】
図２１に示す状態から、更に、日回し車７０６と日回しつめ７３０が更に回転すると、日回しつめ７３０は日車７２０を矢印で示す方向に回転させ、図２２に示す状態になる。図２２は、図１７における「Ｅ点の状態」である。図１７における「Ｄ点の状態」から「Ｅ点の状態」まで日車７２０を回転させるときの日送り抵抗が、日車７２０を回転させるのに必要な力である。図２２に示す状態では、日回しつめ７３０のばね部分７３２の内周部と、中心部分７３１の外周部との間の隙間７３１ｂは広くなっている。図２１に示す状態から図２２に示す状態になるまで、日ジャンパ７４０の第１規正部７４２ａは第１歯７２０ｆの歯先から離れ、第２歯７２０ｇの歯先の円弧は、第２規正部７４２ｂにそって滑る。したがって、図２２に示す状態では、第２歯７２０ｇの歯先の円弧は、第２規正部７４２ｂと第１規正部７４２ａの交点の近くの第２規正部７４２ｂと接触する。図１７における「Ｄ点の状態」から「Ｅ点の状態」まで日車７２０を回転させるとき、日回しつめ７３０の日車７２０に及ぼす力は減少するが、日回しつめ７３０に蓄えられた日車７２０を回転させようとする力は、日車７２０を回転させるのに必要な力（すなわち、日送り抵抗）に比べて、非常に大きいものであるので、日車７２０の回転が止められることはない。
【００７７】
図２２に示す状態から、更に、日回し車７０６と日回しつめ７３０が更に回転すると、日回しつめ７３０は日車７２０を矢印で示す方向に回転させる。この状態では、日回しつめ７３０のばね部分７３２の内周部と、中心部分７３１の外周部との間の隙間７３１ｂは広くなったままである。図２２に示す状態から、第２歯７２０ｇの歯先の円弧は、第２規正部７４２ｂと第１規正部７４２ａの交点に向かう。このような作動が、図１７における「Ｅ点の状態」から「Ｆ点の状態」まで日車７２０を回転させるときに対応する。図１７における「Ｆ点の状態」になると、日回しつめ７３０は日車７２０から外れて、日回しつめ７３０が日車７２０を回そうとする力は零（０）となる。図１７における「Ｆ点の状態」では、日車７２０を回転させるのに必要な力は、かなり小さくなっており、しかも、日車７２０は回転中である。したがって、日車７２０の慣性により、日車７２０の回転が止まることはなく、日車７２０は、次の停止位置まで回転しつづけることができる。
次に、第２歯７２０ｇの歯先の円弧は、第１規正部７４２ａと接触する。すると、日ジャンパ７４０の日ジャンパばね部分７４４のばね力により、日車７２０を矢印で示す方向に更に回転させ、第１規正部７４２ａが第２歯７２０ｇの歯先の円弧に接触し、かつ、第３規正部７４２ｃは第３歯７２０ｈの歯先の円弧に接触する状態になる。
本発明の実施形態では、日回し車７０６が１０．３度回転することにより、日車７２０を、日付１日分だけ回転させることができる。したがって、本発明の実施形態では、日送り時間は、約４０分である。この構成により、短時間内に、日車７２０を、日付１日分だけ回転させることができる。
【００７８】
（１１・２）日修正
次に、本発明のカレンダ付き時計の日修正の作動について説明する。図１４および図１６を参照すると、日修正をするときには、巻真３１０を１段目に引き出す。すると、つづみ車４６２の歯が小鉄車４６４と噛み合う。巻真３１０を１段目にした状態で、巻真３１０を第１方向に回転させると、小鉄車４６４が回転し、日修正伝え車Ａ７０８の回転を介して、日修正伝え車Ｂ７１０が矢印で示す方向に回転する。日修正伝え車Ｂ７１０が矢印で示す方向に回転すると、日修正車７１４は一方の方向に揺動した第１位置（日修正かな７１６が日車７２０の内歯部分７２０ａに噛合う位置）に移動する。日修正車７１４が一方の方向に揺動した第１位置にあるとき、日修正かな７１６は日車７２０の内歯部分７２０ａとかみあう。この状態で、巻真３１０を第１方向に回転させることにより、日車７２０を矢印で示す方向に回転させて、日修正を行うことができる。図１６に示すように、日修正かな７１６の先端はとがっており、日車７２０の内歯部分７２０ａの先端はとがっているので、日修正かな７１６の先端と日車７２０の内歯部分７２０ａの先端が干渉するおそれはほとんどない。
【００７９】
巻真３１０を１段目にした状態で、巻真３１０を第１方向と反対の第２方向に回転させると、小鉄車４６４が回転し、日修正伝え車Ａ７０８の回転を介して、日修正伝え車Ｂ７１０が矢印で示す方向と反対の方向に回転する。日修正伝え車Ｂ７１０が矢印で示す方向と反対の方向に回転すると、日修正車７１４は他方の方向に揺動した第２位置（日修正かな７１６が日車７２０の内歯部分７２０ａに噛合わない位置）に移動する。この状態で、この状態で、巻真３１０を第２方向に回転させても、日車７２０は回転せず、日修正を行うことはできない。
【００８０】
日修正伝え車Ａ７０８が日修正伝え車Ｂ７１０と噛み合う。日修正伝え車Ｂ７１０は日修正車７１４と噛み合う。日修正車７１４は、揺動可能に地板１０２の円弧長穴１０２ｈに組み込まれる。日修正かな７１６が日修正車７１４に一体に設けられる。図１４および図１５を参照すると、日修正車７１４が他方の方向に揺動した第２位置にあるとき、日修正かな７１６は日車７２０の内歯部分７２０ａとかみあわないように構成される。巻真３１０を１段目にした状態で、巻真３１０を回転させると、つづみ車４６２と小鉄車４６４の回転を介して日修正伝え車Ａ７０８は回転するように構成される。この状態で、日修正伝え車Ａ７０８の回転により、日修正伝え車Ｂの回転を介して日修正車７１４と日修正かな７１６が回転して、日修正かな７１６により日車７２０の内歯部分７２０ａを回転させるように構成される。
【００８１】
（１２）輪列装置の作動
次に、本発明のカレンダ付き時計の輪列装置の作動について説明する。図７から図９を参照すると、ぜんまい３２２の力により、香箱車３２０が回転する。香箱車３２０の回転により二番車３２５が回転する。二番車３２５の回転により三番車３２６が回転する。三番車３２６の回転により四番車３２８が回転する。また、三番車３２６の回転により分車３２４が同時に回転する。分車３２４の回転により日の裏車３４８が回転する。日の裏車３４８の回転により筒車３５４が回転する。これらの各輪列の回転速度は、てんぷ３４０、アンクル３４２及びがんぎ車３３０の動作により制御される。その結果、四番車３２８は１分間に１回転する。分車３２４は１時間に１回転する。筒車３５４は１２時間に１回転する。
【００８２】
四番車３２８に取り付けた秒針３５８で「秒」を表示する。筒かな３２４ａに取り付けた分針３５２で「分」を表示する。筒車３５４に取り付けた時針３５６で「時」を表示する。すなわち、四番車３２８、分車３２４、筒車３５４は、時刻情報を表示するための指示車を構成する。文字板１０４の目盛等により、時刻を読み取る。
【００８３】
（１３）切換装置の作動
次に、本発明のカレンダ付き時計の切換装置の作動について説明する。図１３を参照すると、おしどり４２０、かんぬき４３０、かんぬき押さえ４４０、作動レバー４５０は、地板１０２の裏側に組み込まれる。小鉄車４６４が作動レバー４５０に回転可能に取り付けられる。つづみ車４６２が巻真３１０に同軸に取り付けられる。かんぬき押さえ４４０の山形部分４４２がおしどり４２０の位置決めピンに係合して、おしどり４２０の位置を決め、かつ、巻真３１０の切換重さを設定する。おしどり４２０が回転することにより、作動レバー位置決めピンは作動レバー案内穴の中を移動する。それによって、巻真３１０を０段目から１段目にしたとき、作動レバー４５０は回転せず、巻真３１０を１段目から２段目にしたとき、作動レバー４５０は回転する。
【００８４】
図１３を参照すると、巻真３１０を０段目にした状態で、巻真３１０を回転させると、つづみ車４６２は回転するが、つづみ車４６２は小鉄車４６４と噛合っていないので、小鉄車４６４は回転しない。図１４を参照すると、巻真３１０を１段目にした状態で、巻真３１０を回転させるとつづみ車４６２は回転し、つづみ車４６２は小鉄車４６４と噛合い、巻真３１０を回転させるとつづみ車４６２の回転を介して小鉄車４６４は回転する。図示していないけれども、巻真３１０を１段目から２段目にしたとき、作動レバー４５０が回転することにより、つづみ車４６２は小鉄車４６４と噛合い、小鉄車４６４は日の裏車３４８と噛合う。この状態で、巻真３１０を回転させるとつづみ車４６２と小鉄車４６４の回転を介して日の裏車３４８は回転することができる。したがって、巻真３１０を２段目にした状態で、巻真３１０を回転させることにより、つづみ車４６２、小鉄車４６４、日の裏車３４８の回転を介して筒車３５４及び分車３２４を回転させて、時計の針合わせを行うことができる。
【００８５】
（１４）本発明のカレンダ付き時計の他の構造の例
以上、本発明のカレンダ付き時計の実施形態について、機械式時計、自動巻腕時計、中三針式時計、カレンダ機構のみを有する時計、巻真２段引き構造の時計について説明したけれども、本発明は下記の構造を有する時計などのも適用することができる。
（あ）手巻時計
上記の説明において、本発明のカレンダ付き時計は、自動巻機構を削除し、手巻機構のみを備えるように構成することができる。この場合、巻真３１０を０段目にした状態で、或いは、巻真３１０を０段目及び１段目にした状態で、巻真３１０を回転させることにより、きち車、丸穴車などを含む手巻き機構により、ぜんまいを巻き上げることができるように構成すればよい。
【００８６】
（い）二針式時計
上記の説明において、本発明のカレンダ付き時計は、秒針を削除し、時針及び分針のみを備えるように構成することができる。
（う）ウイーク付き時計
上記の説明において、本発明のカレンダ付き時計は、更に、曜表示機構を備えるように構成することができる。この場合、本発明のカレンダ付き時計は、更に、日回し車７０６の回転に基づいて、１日に１回転する曜送りつめと、曜送りつめの回転に基づいて、１日に（３６０／７）度回転する曜車を備えるように構成することができる。更に、必要ならば、本発明のカレンダ付き時計は、日修正車７１４の回転に基づいて、曜修正伝え車の回転を介して曜車を修正する曜修正機構を備えるように構成すればよい。
【００８７】
（え）電子時計、電気時計
上記の説明において、本発明のカレンダ付き時計は、駆動源として、ぜんまいに代わって、電池及びモータを備えるように構成することができる。この構成では、駆動回路（ＩＣなど）によりステップモータ、直流モータなどを回転させるように構成すればよい。
（お）巻真１段引き構造の時計
上記の説明において、本発明のカレンダ付き時計を、巻真２段引き構造の時計として説明したけれども、本発明のカレンダ付き時計は、日修正機構を削除するとき、或いは、他の構造の日修正機構（例えば、巻真プッシュ式日修正機構）を用いるとき、巻真３１０を１段目にした状態で、巻真３１０を回転させることにより、つづみ車４６２、小鉄車４６４、日の裏車３４８の回転を介して筒車３５４及び分車３２４を回転させて、時計の針合わせを行うように構成することができる。
【図面の簡単な説明】
【図１】図１は、本発明のカレンダ付き時計の実施形態において、回転錘、一番仲介車および切換伝え車を含む自動巻機構を示す概略部分断面図である。
【図２】図２は、本発明のカレンダ付き時計の実施形態において、回転錘、一番仲介車、二番仲介車および切換伝え車を含む自動巻機構を示す概略部分断面図である。
【図３】図３は、本発明のカレンダ付き時計の実施形態において、自動巻機構の概略構成を示す平面図である。
【図４】図４は、本発明のカレンダ付き時計の実施形態において、切換伝え車の構造を示す断面図である。
【図５】図５は、本発明のカレンダ付き時計の実施形態において、一番仲介車が反時計周り方向に回転したときの切換伝え車の作動原理を示す平面図である。
【図６】図６は、本発明のカレンダ付き時計の実施形態において、一番仲介車が時計周り方向に回転したときの切換伝え車の作動原理を示す平面図である。
【図７】図７は、本発明のカレンダ付き時計の実施形態において、ムーブメントの表側の概略形状を示す平面図である（図７では、自動巻機構などの一部の部品を省略し、受部材は仮想線で示している）。
【図８】図８は、本発明のカレンダ付き時計の実施形態において、香箱から筒車の部分を示す概略部分断面図である。
【図９】図９は、本発明のカレンダ付き時計の実施形態において、がんぎ車からてんぷの部分を示す概略部分断面図である。
【図１０】図１０は、本発明のカレンダ付き時計の実施形態において、自動巻機構の変形例の概略構成を示す平面図である。
【図１１】図１１は、本発明のカレンダ付き時計の実施形態において、自動巻機構の変形例における一番仲介車が反時計周り方向に回転したときの切換伝え車の作動原理を示す平面図である。
【図１２】図１２は、本発明のカレンダ付き時計の実施形態において、自動巻機構の変形例における一番仲介車が時計周り方向に回転したときの切換伝え車の作動原理を示す平面図である。
【図１３】図１３は、本発明のカレンダ付き時計の実施形態において、巻真が０段目にあり、日送りを開始する状態における、ムーブメントの裏側の概略形状を示す平面図である。
【図１４】図１４は、本発明のカレンダ付き時計の実施形態において、巻真が１段目にあり、日修正を開始する状態における、ムーブメントの裏側の概略形状を示す平面図である。
【図１５】図１５は、本発明のカレンダ付き時計の実施形態において、巻真が１段目にあり、日修正を開始する状態における、日修正機構を示す部分平面図である。
【図１６】図１６は、本発明のカレンダ付き時計の実施形態において、巻真が１段目にあり、日修正を開始する状態で、日修正かなと日車の歯先がつっぱった状態を示す部分平面図である。
【図１７】図１７は、本発明のカレンダ付き時計の実施形態において、日送り抵抗と、日車の回転角度の関係を示すグラフである。
【図１８】図１８は、本発明のカレンダ付き時計の実施形態において、図１７のＡ点における日回しつめと、日車の関係を示す部分平面図である。
【図１９】図１９は、本発明のカレンダ付き時計の実施形態において、図１７のＢ点における日回しつめと、日車の関係を示す部分平面図である。
【図２０】図２０は、本発明のカレンダ付き時計の実施形態において、図１７のＣ点における日回しつめと、日車の関係を示す部分平面図である。
【図２１】図２１は、本発明のカレンダ付き時計の実施形態において、図１７のＤ点における日回しつめと、日車の関係を示す部分平面図である。
【図２２】図２２は、本発明のカレンダ付き時計の実施形態において、図１７のＥ点における日回しつめと、日車の関係を示す部分平面図である。
【図２３】図２３は、本発明のカレンダ付き時計の実施形態において、図１７のＦ点における日回しつめと、日車の関係を示す部分平面図である。
【図２４】図２４は、従来のカレンダ付き時計において、巻真が０段目にあり、日送りを開始する状態における、ムーブメントの裏側の概略形状を示す平面図である。
【図２５】図２５は、従来のカレンダ付き時計において、巻真が１段目にあり、日修正を開始する状態における、ムーブメントの裏側の概略形状を示す平面図である。
【図２６】図２６は、従来のカレンダ付き時計において、巻真が１段目にあり、日修正を開始する状態における、日修正機構を示す部分平面図である。
【図２７】図２７は、従来のカレンダ付き時計において、巻真が１段目にあり、日修正を開始する状態で、日修正かなと日車の歯先がつっぱった状態を示す部分平面図である。
【図２８】図２８は、従来のカレンダ付き時計において、日送り抵抗と、日車の回転角度の関係を示すグラフである。
【図２９】図２９は、従来のカレンダ付き時計において、図２８のＡ点における日回しつめと、日車の関係を示す部分平面図である。
【図３０】図３０は、従来のカレンダ付き時計において、図２８のＢ点における日回しつめと、日車の関係を示す部分平面図である。
【図３１】図３１は、従来のカレンダ付き時計において、図２８のＣ点における日回しつめと、日車の関係を示す部分平面図である。
【図３２】図３２は、従来のカレンダ付き時計において、図２８のＤ点における日回しつめと、日車の関係を示す部分平面図である。
【図３３】図３３は、従来のカレンダ付き時計において、図２８のＥ点における日回しつめと、日車の関係を示す部分平面図である。
【符号の説明】
１００  ムーブメント
１０２  地板
１０４  文字板
２１０    回転錘
２１２    一番仲介車
２１６    二番仲介車
２２０    切換伝え車
２２２    切換伝えかな
２３０    切換上段車
２３６    切換上座
２３８    切換つめ
２４０    切換下段車
２４６    切換下座
２３２    切換上歯車体
２３４    切換上つめ車
２４２    切換下歯車体
２４４    切換下つめ車
２５０    一番伝え車
２５２    二番伝え車
２５４    三番伝え車
３００    分車の回転中心
３０１    第１領域
３０２    第２領域
３０３    第３領域
３０４    第４領域
３０６    地板基準垂直軸線
３０８    地板基準水平軸線
３１０    巻真
３２０    香箱車
３２４    分車
３２５    二番車
３２６    三番車
３２８    四番車
３３０    がんぎ車
３４０    てんぷ
３４２    アンクル
３４８    日の裏車
３５４    筒車
３６０    香箱受
３６２    輪列受
４２０    おしどり
４３０    かんぬき
４４０    かんぬき押さえ
４５０    作動レバー
４６２    つづみ車
４６４    小鉄車
７０２    日回し中間車Ａ
７０４    日回し中間車Ｂ
７０６    日回し車
７０８    日修正伝え車Ａ
７１０    日修正伝え車Ｂ
７１４    日修正車
７１６    日修正かな
７２０    日車
７３０    日回しつめ
７４０    日ジャンパ
【図１】
2004170271.tif 000003
【図２】
2004170271.tif 000004
【図３】
2004170271.tif 000005
【図４】
2004170271.tif 000006
【図５】
2004170271.tif 000007
【図６】
2004170271.tif 000008
【図７】
2004170271.tif 000009
【図８】
2004170271.tif 000010
【図９】
2004170271.tif 000011
【図１０】
2004170271.tif 000012
【図１１】
2004170271.tif 000013
【図１２】
2004170271.tif 000014
【図１３】
2004170271.tif 000015
【図１４】
2004170271.tif 000016
【図１５】
2004170271.tif 000017
【図１６】
2004170271.tif 000018
【図１７】
2004170271.tif 000019
【図１８】
2004170271.tif 000020
【図１９】
2004170271.tif 000021
【図２０】
2004170271.tif 000022
【図２１】
2004170271.tif 000023
【図２２】
2004170271.tif 000024
【図２３】
2004170271.tif 000025
【図２４】
2004170271.tif 000026
【図２５】
2004170271.tif 000027
【図２６】
2004170271.tif 000028
【図２７】
2004170271.tif 000029
【図２８】
2004170271.tif 000030
【図２９】
2004170271.tif 000031
【図３０】
2004170271.tif 000032
【図３１】
2004170271.tif 000033
【図３２】
2004170271.tif 000034
【図３３】
2004170271.tif 000035